(57)【特許請求の範囲】
【請求項１】
電線の端部に接続された端子を収容するコネクタハウジングと、前記コネクタハウジングに取り付けられ、該コネクタハウジングから引き出された前記電線を案内して外部に導出させるカバーとを備え、前記電線を外部に導出させる前記カバーの電線導出口に該電線を結束バンドで締め付けて固定する電線固定部を設け、前記電線固定部に前記結束バンドを挿通させるバンド挿通孔を形成してなるカバー付コネクタにおいて，
前記電線固定部の前記電線挿通側端部にフランジ部を形成し，前記電線固定部の外周面に、該電線固定部の長さ方向に延びるリブを該電線固定部の中央に形成するとともに前記リブの先端と前記フランジとの間に前記結束バンドの幅と略同一の間隔を有する結束バンド巻付スペースを設け，
前記結束バンド巻付スペースで前記リブの延長線上、かつ、前記リブの先端縁面に孔の一部を揃えるように前記結束バンドを挿通させる前記バンド挿通孔を設け，
前記結束バンドで前記電線固定部に前記電線を結束固定する際に、前記電線の束ねる本数の大小に応じて、または前記電線を曲げて配置する際の曲げ曲率の大小に応じて、前記結束バンドを前記バンド挿通孔に挿通するか否かを自由に選択して結束することができるようにした
ことを特徴とするカバー付コネクタ。
【請求項２】
前記リブは，
メインリブを中心に左右対称にサイドリブを複数本設けたものである請求項１に記載の
カバー付コネクタ。
【請求項３】
前記バンド挿通孔は，
前記電線固定部の中央で長手方向にスリット状に設けたものである請求項１又は２に記載のカバー付コネクタ。
【請求項４】
前記結束バンドは，
前記リブと前記フランジ部とによって前記電線固定部の長手方向に移動するのを規制されてなるものである請求項１，２又は３に記載のカバー付コネクタ。
【発明の詳細な説明】
【技術分野】
【０００１】
本発明は、電線の端部に接続された端子を収容するコネクタハウジングから引き出された電線を覆って保護するとともに案内して外部に導出させるカバーを備えたカバー付コネクタに関する。
【背景技術】
【０００２】
この種のカバー付コネクタとしては、図７に示す如きものがある（例えば、特許文献１参照。）。
【０００３】
図７に図示のカバー付コネクタ１００は、電線１０１の一端部１０２に接続された端子１０３を収容するコネクタハウジング１０４を有している。このコネクタハウジング１０４には、該コネクタハウジング１０４から引き出された電線１０１を案内しつつ外部に導出させるカバー１０５が取り付けられている。そして、このカバー１０５を幅方向に跨ぐようにレバー１０６が組み付けられて構成されている。
【０００４】
このカバー１０５の電線１０１を外部に導出させる電線導出口１０７には、フランジ部１１１が形成されている。また、電線導出口１０７には、電線１０１を結束バンド１０８で締め付けて固定する断面略門形状の電線固定部１０９が突設されている。また、この電線固定部１０９の両側の角部には、結束バンド１０８を挿通させる一対のバンド挿通孔１１０を形成してある。
【０００５】
そして、電線固定部１０９は、電線１０１を束ねる結束バンド１０８が巻回可能に構成されており、電線固定部１０９の電線１０１導出側先端に、電線固定部１０９の両側壁１１２の後端下部に、外側に突設する一対の抜止突起１１３が設けられている。この一対の抜止突起１１３によって巻回された結束バンド１０８の抜止めがなされるようになっている。
すなわち、結束バンド１０８をバンド挿通孔１１０に挿通せずに電線固定部１０９に巻回した場合には、電線固定部１０９に巻き回された結束バンド１０８は、フランジ部１１１と突起１１３によって抜止めがなされている。
【先行技術文献】
【特許文献】
【０００６】
【特許文献１】特開２００２−３４３４９７号公報
【特許文献２】特開２０１０−５５８９３号公報
【特許文献３】特開２０１０−３４０１８号公報
【発明の概要】
【発明が解決しようとする課題】
【０００７】
しかしながら、従来のカバー付コネクタ１００にあっては、結束バンド１０８をバンド挿通孔１１０に挿通せずに電線固定部１０９に巻回した場合、フランジ部１１１と突起１１３との距離が、電線固定部１０９に巻き回された結束バンド１０８の幅よりも大きいため、電線固定部１０９に巻き回された結束バンド１０８が、フランジ部１１１と突起１１２の間で結束バンド１０８が動いてしまうため、結束バンド１０８によって電線１０１を傷つけてしまう可能性があるという問題点を有している。
【０００８】
また、従来のカバー付コネクタ１００にあっては、結束バンド１０８をバンド挿通孔１１０に挿通せずに電線固定部１０９に巻回すると、電線固定部１０９にバンド挿通孔１１０が２つ形成されており、結束バンド１０８で結束した場合に、結束バンド１０８で過度の締め付けが行われると、カバー１０５が形状変形を起こし、電線１０１を以上に締め付けるという問題点を有している。
【０００９】
特許文献２，３には、カバー付コネクタ１００に補強リブが設けられているものの、電線固定部１０９に巻き回された結束バンド１０８が、フランジ部１１１と突起１１２の間で結束バンド１０８が動いてしまうため、結束バンド１０８によって電線１０１を傷つけてしまう可能性があるという問題点を解消するには至っていない。
【００１０】
本発明は、上記した課題を解決すべくなされたものであり、結束バンドをバンド挿通孔に挿通せずに電線固定部に巻回した場合であっても電線固定部に巻き回された結束バンドが、動くことがなく、電線の束ねる本数の大小に応じて、または電線を曲げて配置する際の曲げ曲率の大小に応じて、自由に選択して結束することができるカバー付コネクタを提供することを目的とする。
【課題を解決するための手段】
【００１１】
上記課題を解決するためになされた請求項１に記載のカバー付コネクタは、電線の端部に接続された端子を収容するコネクタハウジングと、前記コネクタハウジングに取り付けられ、該コネクタハウジングから引き出された前記電線を案内して外部に導出させるカバーとを備え、前記電線を外部に導出させる前記カバーの電線導出口に該電線を結束バンドで締め付けて固定する電線固定部を設け、前記電線固定部に前記結束バンドを挿通させるバンド挿通孔を形成してなるカバー付コネクタにおいて，前記電線固定部の前記電線挿通側端部にフランジ部を形成し，前記電線固定部の外周面に、該電線固定部の長さ方向に延びるリブを該電線固定部の中央に形成するとともに前記リブの先端と前記フランジとの間に前記結束バンドの幅と略同一の間隔を有する結束バンド巻付スペースを設け，前記結束バンド巻付スペースで前記リブの延長線上、かつ、前記リブの先端縁面に孔の一部を揃えるように前記結束バンドを挿通させる前記バンド挿通孔を設け，前記結束バンドで前記電線固定部に前記電線を結束固定する際に、前記電線の束ねる本数の大小に応じて、または前記電線を曲げて配置する際の曲げ曲率の大小に応じて、前記結束バンドを前記バンド挿通孔に挿通するか否かを自由に選択して結束することができるようにしたことを特徴とする。
【００１２】
上記課題を解決するためなされた請求項２に記載のカバー付コネクタは、請求項１に記載のカバー付コネクタにおけるリブを，メインリブを中心に左右対称にサイドリブを複数本設けたものであることを特徴とする。
【００１３】
上記課題を解決するためなされた請求項３に記載のカバー付コネクタは、請求項１又は２に記載のカバー付コネクタにおけるバンド挿通孔を，電線固定部の中央で長手方向にスリット状に設けたものであることを特徴とする。
【００１４】
上記課題を解決するためなされた請求項４に記載のカバー付コネクタは、請求項１，２又は３に記載のカバー付コネクタにおける結束バンドを，リブとフランジ部とによって電線固定部の長手方向に移動するのを規制されてなるものであることを特徴とする。
【発明の効果】
【００１５】
請求項１に記載された本発明によれば、結束バンドをバンド挿通孔に挿通せずに電線固定部に巻回した場合であっても電線固定部に巻き回された結束バンドが、動くことがなく、電線の束ねる本数の大小に応じて、または電線を曲げて配置する際の曲げ曲率の大小に応じて、自由に選択して結束することができる。
また、請求項１に記載された本発明によれば、電線の長手方向に延びるリブの端部で、バンドの動きを規制することができる。
【００１６】
請求項２に記載された本発明によれば、結束バンドをバンド挿通孔に挿通せずに電線固定部に巻回し、結束バンドによって過度の締め付けを行っても、カバーが形状変形を起こすのを防止することができる。
【００１７】
請求項３に記載された本発明によれば、バンド挿通孔が電線固定部の中央で長手方向にスリット状に設けられているため、結束バンドをバンド挿通孔に挿通して電線を結束した場合は、バンド挿通孔によって、電線の束ねる本数の大小に応じて、または電線を曲げて配置する際の曲げ曲率の大小に応じて、結束バンドをバンド挿通孔するかしないか自由に選択して結束することができ、結束した後に結束バンドが電線固定部の長手方向に移動するのを防止することができる。
【００１８】
請求項４に記載された本発明によれば、結束バンドをバンド挿通孔に挿通せずに電線固定部に巻回した場合、結束バンドを，リブとフランジとによって電線固定部の長手方向に移動するのを規制しているため、電線を結束バンドによって結束した後、結束バンドが電線固定部の長手方向に移動するのを防止することができる。
【図面の簡単な説明】
【００１９】
【図１】本発明の実施形態のカバー付コネクタをカバー側から見た斜視図である。
【図２】図１に図示のカバー付コネクタからカバーを取り外した状態の一部の拡大斜視図である。
【図３】図１に図示のカバー付コネクタのカバーの電線固定部のバンド挿通孔に結束バンドを挿通しないで電線を巻回して結束した状態を示す図である。
【図４】図１に図示のカバー付コネクタのカバーの電線固定部のバンド挿通孔に結束バンドを挿通して電線を巻回して片側に結束した状態を示す図である。
【図５】図１に図示のカバー付コネクタのカバーの電線固定部のバンド挿通孔に結束バンドを挿通して電線を巻回して一方に結束して曲げＲを小さくした状態で障害物を回避する状態を示す図である。
【図６】図１に図示のカバー付コネクタのカバーの電線固定部のバンド挿通孔に結束バンドを挿通して電線を巻回して他方に結束して曲げＲを大きくした状態で障害物を回避する状態を示す図である。
【図７】従来のカバー付コネクタの側面図である。
【発明を実施するための形態】
【００２０】
本発明の対象としているカバー付コネクタは、電線の端部に接続された端子を収容するコネクタハウジングを備えている。このコネクタハウジングには、コネクタハウジングから引き出された電線を案内して外部に導出させるカバーが取り付けられている。このカバーの電線を外部に導出させる電線導出口には、電線を結束バンドで締め付けて固定する電線固定部が設けられている。そして、この電線固定部には、結束バンドを挿通させるバンド挿通孔が形成されている。
【００２１】
本発明においては、このように構成されるカバー付コネクタに、電線固定部の電線挿通側端部にフランジ部を形成してある。電線固定部の外周面には、電線固定部の長さ方向に延びるリブが電線固定部の中央に形成してある。そして、この電線固定部には、リブの先端とフランジとの間に結束バンドの幅と略同一の間隔の結束バンド巻付スペースが設けてある。
さらに、結束バンド巻付スペースに、リブの先端近傍とフランジとの間に結束バンドを挿通させるバンド挿通孔を設けてある。
このように構成することによって、結束バンドで電線固定部に電線を結束固定する際、電線の束ねる本数の大小に応じて、または、電線を曲げて配置する際の曲げ曲率の大小に応じて、結束バンドをバンド挿通孔に挿通して電線を結束するか、結束バンドをバンド挿通孔に挿通しないで電線を結束するかを自由に選択して、結束バンドによって電線を結束することができるようにしてある。
【実施例１】
【００２２】
以下、本発明を実施するための形態の実施例１について図１〜図６を用いて説明する。
図１は本発明の実施形態のカバー付コネクタをカバー側から見た斜視図、図２は図１に図示のカバー付コネクタからカバーを取り外した状態の一部の拡大斜視図、図３は図１に図示のカバー付コネクタのカバーの電線固定部のバンド挿通孔に結束バンドを挿通しないで電線を巻回して結束した状態を示す図、図４は図１に図示のカバー付コネクタのカバーの電線固定部のバンド挿通孔に結束バンドを挿通して電線を巻回して片側に結束した状態を示す図、図５は図１に図示のカバー付コネクタのカバーの電線固定部のバンド挿通孔に結束バンドを挿通して電線を巻回して一方に結束して曲げＲを小さくした状態で障害物を回避する状態を示す図、図６は図１に図示のカバー付コネクタのカバーの電線固定部のバンド挿通孔に結束バンドを挿通して電線を巻回して他方に結束して曲げＲを大きくした状態で障害物を回避する状態を示す図である。
【００２３】
図１には、本発明に係るカバー付コネクタをカバー側から見た斜視図が示されている。
図１において、カバー付コネクタ１は、電線２の一端部に接続された図示しない端子を収容する合成樹脂製のコネクタハウジング１０を有している。コネクタハウジング１０には、軸部１１が設けられている。このコネクタハウジング１０は、複数の端子を収納する端子収容部を有する箱形に形成されている。また、このコネクタハウジング１０には、コネクタハウジング１０から引き出された電線２を案内しつつ外部に導出させる合成樹脂製のカバー２０が取り付けられている。
そして、このカバー２０を幅方向に跨ぐようにレバー３０が組み付けられて構成されている。このレバー３０は、コネクタハウジング１０に設けられる軸部１１に回動自在に支持されている。
【００２４】
レバー３０は、コネクタハウジング１０に図示しない相手側コネクタを低挿入力で嵌合させるものである。すなわち、レバー３０は、左右方向に延びる操作部３１の両端から板状のアーム部３２を延設した略門形状に形成されている。この両側のアーム部３２は、それぞれ軸部１１に取り付けられており、レバー３０は軸部１１を中心として回動操作可能に取り付けられている。
このレバー３０を回動操作することによって、カム作用によってコネクタハウジング１０と相手側コネクタハウジングの嵌合動作が助勢されるようになっている。
【００２５】
カバー２０は、合成樹脂材で構成され、下方及び後方に開放する略箱形に形成されている。カバー２０の下方の開口部には、コネクタハウジング１０の上部が嵌め込まれ、カバー２０は、コネクタハウジング１０の上方を覆った状態で組み付けられるようになっている。
また、カバー２０の後方には、コネクタハウジング１０から引き出された電線２を固定する電線固定部４０が形成されている。この電線固定部４０の電線２が導出する開口は、電線導出口４１として形成されている。この電線導出口４１は、コネクタハウジング１０から引き出された電線２を案内しつつ外部に導出させるようになっている。
【００２６】
カバー２０の電線固定部４０は、図２に示すように、アーチ状に開放し、開口端である電線導出口４１には、フランジ部４２が外周側に張り出して形成されている。また、電線固定部４０の上部には、上壁４３と左右に連接される一対の側壁４４とを備えた断面略門形状またはアーチ状に形成されている。この電線固定部４０の上壁４３と一対の側壁４４とによって、電線固定部４０の外周面が構成されている。
この電線固定部４０の上壁４３には、電線固定部４０の根元から延長して、電線固定部４０の中央にメインリブ４５が、電線固定部４０の中央に、電線固定部４０の長さ方向に延びるように形成されている。このメインリブ４５の先端は、フランジ部４２との間に電線２を結束固定する結束バンド５０が装着できるように結束バンド５０の幅と略同一の広さの間隔の結束バンド巻付スペース４８が設けられている。
【００２７】
また、電線固定部４０の上壁４３には、電線固定部４０の中央のメインリブ４５の両側に少なくとも２本のサイドリブ４６，４７が設けられている。このメインリブ４５の両側に設けられるサイドリブは、必ずしも２本に限られるものではなく、２本以上複数本であってもよい。
これらメインリブ４５、サイドリブ４６，４７は、電線固定部４０の強度をアップさせる作用を有している。
また、サイドリブ４６，４７の先端には、メインリブ４５と同様、フランジ部４２との間に電線２を結束固定する結束バンド５０が装着できるように結束バンド５０の幅と略同一の広さの間隔の結束バンド巻付スペース４８が設けられている。
【００２８】
また、メインリブ４５とフランジ部４２との間の結束バンド巻付スペース４８が形成されている電線固定部４０の上壁４３には、メインリブ４５の先端近傍とフランジ部４２との間に結束バンド５０を挿通させるバンド挿通孔４９が設けられている。
このバンド挿通孔４９は、電線固定部４０の中央で長手方向にメインリブ４５の延長線上にスリット状に形成されている。このバンド挿通孔４９は、結束バンド５０を挿通させて、電線固定部４０の上壁４３側から内壁面に結束バンド５０を貫通させるものである。
【００２９】
結束バンド５０は，帯状に形成されており、電線固定部４０のメインリブ４５、サイドリブ４６，４７の先端とフランジ部４２との間に形成される結束バンド巻付スペース４８に巻回し、コネクタハウジング１０から導出された電線２を結束固定するものである。
この結束バンド５０は，バンド挿通孔４９に挿通させないで電線固定部４０の結束バンド巻付スペース４８に巻回したときは、メインリブ４５、サイドリブ４６，４７の先端とフランジ部４２とによって、巻回した結束バンド５０の電線固定部４０の長手方向に移動するが規制される。
【００３０】
このように構成される本発明に係るカバー付コネクタの作用について、図３〜図６を用いて説明する。
コネクタハウジング１０から導出された電線２をカバー２０に結束固定する際には、図３に示す如く、電線２の束を電線固定部４０の内側に押し付けるようにして、これらの電線２と電線固定部４０とに結束バンド５０を巻回して締め付ける。この図３の例は、カバー２０によって結束固定する電線２の本数が多い場合で、結束バンド５０をバンド挿通孔４９に挿通していない場合を示している。
【００３１】
カバー２０によって結束固定する電線２の本数が少ない場合には、図４に示す如く、コネクタハウジング１０から導出された電線２の束を、バンド挿通孔４９を中心に電線固定部４０の一方の内側に押し付けるようにして、結束バンド５０をバンド挿通孔４９に挿通して電線２の束を、電線固定部４０に巻回して締め付ける。
このように結束バンド５０をバンド挿通孔４９に挿通して巻回することによって、電線２の束をバンド挿通孔４９を中心に電線固定部４０の左右いずれかの内側に押し付けるように結束固定することができる。
【００３２】
結束バンド５０をバンド挿通孔４９に挿通して巻回する場合に、電線２の束をバンド挿通孔４９を中心に電線固定部４０の左右いずれの内側に押し付けるかは、例えば、図５、図６に示す如く、電線固定部４０の電線導出口４１の近傍に障害物６０があった場合に有効となる。
すなわち、図５に示す場合は、コネクタハウジング１０から導出された電線２の束を、この障害物６０を回避するため、電線２の束の曲げＲを小さくした場合であり、図６に示す場合は、コネクタハウジング１０から導出された電線２の束を、この障害物６０を回避するため、電線２の束の曲げＲを大きくした場合である。
【００３３】
このように電線２の束を電線固定部４０に結束固定に当たって、結束バンド５０をバンド挿通孔４９に挿通して巻回する巻回経路（図５及び図６）の場合に、固定する電線２の本数や外径に応じて適したものを選択することで、電線２を電線固定部４０にしっかりと固定することができる。また、バンド挿通孔４９を電線固定部４０の中央に配置することにより、電線本数に合わせた固定方法の選択と、周辺の環境によって固定方向の変更が可能となる。
さらに、電線固定部４０の電線導出口４１の近傍に障害物６０があった場合、この障害物６０を避けるため、電線２の束の曲げる際に、曲げＲ部へのストレスを考慮して、が大きくなるため、図６に示すように電線２の束を取り出し方向とは逆の電線固定部４０の位置に寄せて固定することによって、電線２の束の曲げＲを大きくし、電線２の束へのストレスを軽減することができる。
【００３４】
このように構成するため本発明に係るカバー付コネクタの実施例によれば、結束バンド５０のずれを防止することにより、結束バンド５０での電線２の傷つきを防止し、かつ、メインリブ４５、サイドリブ４６，４７により電線固定部４０の強度をアップさせることができる。
また、本発明に係るカバー付コネクタの実施例によれば、バンド挿通孔４９を電線固定部４０の中央に配置することによって、電線２の本数に合わせて固定方法を選択することができると共に、周辺の環境によって電線２の束の固定方法を選択することができるため、電線２へのストレスを軽減することができ、断線を防止することができる。
【符号の説明】
【００３５】
１……………カバー付コネクタ
２ ……………電線
１０……………コネクタハウジング
２０ ……………カバー
３０ ……………レバー
４０……………電線固定部
４１……………電線導出口
４２……………フランジ部
４３……………上壁
４４……………一対の側壁
４５……………メインリブ
４６……………サイドリブ
４７……………サイドリブ
４８……………結束バンド巻付スペース
４９……………バンド挿通孔
５０……………結束バンド
６０……………障害物
【図１】
0005629512.tif 000002
【図２】
0005629512.tif 000003
【図３】
0005629512.tif 000004
【図４】
0005629512.tif 000005
【図５】
0005629512.tif 000006
【図６】
0005629512.tif 000007
【図７】
0005629512.tif 000008